(57)【要約】甲板（２）を有する平頂荷船（１）用の荷卸装置であって、少なくとも一つの給水出口（８）は、前記荷船（１）にある砂のスラリー化または洗浄のために前記甲板（２）に、その中にまたはその上部に設けられる。【選択図】図１
2013529572.tif 000002
【特許請求の範囲】
【請求項１】
平頂荷船用の荷卸装置（１）であって、
甲板（２）を有し、
少なくとも一つの給水出口（８）は、前記荷船（１）にある砂のスラリー化または洗浄のために前記甲板（２）に、その中にまたはその上部に設けられることを特徴とする、
荷卸装置。
【請求項２】
前記荷船（１）にある前記砂のスラリー化のための複数の前記給水出口（８）は、前記甲板（２）の中またはその近くに位置することを特徴とする、請求項１に記載の荷卸装置。
【請求項３】
前記給水出口（８）は、前記荷船（１）上に位置するパイプ（６）と連通することを特徴とする、請求項１に記載の荷卸装置。
【請求項４】
チューブ（１２）と連通する前記給水出口（８）は、前記荷船（１）から独立して指示装置（３２）によって保持されることを特徴とする、請求項１に記載の荷卸装置。
【請求項５】
前記パイプ（６）または前記チューブ（１２）は、送水ポンプに接続可能であることを特徴とする、請求項３または４に記載の荷卸装置。
【請求項６】
前記送水ポンプは、前記荷船（１）の外側に位置することを特徴とする、請求項５に記載の荷卸装置。
【請求項７】
保持壁（４）は、前記甲板（２）から上方に伸び、前記保持壁（４）の少なくとも一部は、傾きを変えられるまたは取り外し可能であることを特徴とする、請求項１に記載の荷卸装置。
【請求項８】
保持壁（４）は、前記甲板（２）から上方に伸び、前記保持壁（４）または前記甲板（２）は、前記荷船（１）の外に通じる開口（１４、１４ａ）を有することを特徴とする、請求項１に記載の荷卸装置。
【請求項９】
前記開口（１４、１４ａ）は、閉可能であることを特徴とする、請求項８に記載の荷卸装置。
【請求項１０】
閉可能な開口（１４）は、バルブ（１６）を備えることを特徴とする、請求項８に記載の荷卸装置。
【請求項１１】
甲板（２）を有する平頂荷船（１）から砂を卸すための方法であって、
−前記甲板（２）に、その中にまたはその上部に少なくとも一つの給水出口（８）を設けることと、
−送水ポンプへ前記給水出口（８）を接続することと、
−前記砂のスラリー化または洗浄のために前記給水出口（８）を介して前記砂へ水をポンプで送り込むことと、
−前記スラリー化した砂を前記甲板（２）に流すことと、
を含むことを特徴とする、方法。
【請求項１２】
保持壁（４）が前記甲板（２）から上方に伸び、
−前記保持壁（４）または前記甲板（２）に開口（１４、１４ａ）を設けることと、
−前記スラリー化したまたは前記洗浄された砂を前記甲板（２）または前記保持壁（４）において前記開口（１４、１４ａ）を通して流すことと、
をさらに含むことを特徴とする、請求項１１に記載の方法。
【発明の詳細な説明】
【技術分野】
【０００１】
平頂荷船用の荷卸装置を提供する。より正確には、甲板を有する平頂荷船用の荷卸装置を提供する。また、本発明は、荷船から荷を卸す方法を含む。
【背景技術】
【０００２】
「平頂荷船」とは、海岸線に近いまたはその上にその甲板積載を有する荷船であることをこの文脈にて定義する。平頂荷船は、従来の非自走式または自走式の荷船であってもよい。
【０００３】
一般に積載空間として機能する平らな甲板を有する、いわゆる「平頂荷船」は、広く使用され、容易に入手可能である。甲板から情報に伸びる保持壁を有するそのような甲板を備えることは知られている。保持壁は、通常、甲板の端の近くに位置する。
【０００４】
砂の輸送に使用される場合、例えば、海から土壌を回収するために、砂が甲板上に設置されるように、甲板上に流動砂をポンプでくみ上げつつ、砂から余水を排水することによって荷船に荷が積載されてもよい。一般に、排水は、一般にスリットの形式の穿孔を通して、または保持壁のジオテキスタイルを通して、または甲板の上またはその近くに孔を穿孔した農業型パイプを通して行われる。
【０００５】
先行技術によると、掘削機またはショベルカーなどの土木装置の使用によって甲板から砂が卸される。この荷卸方法は、比較的時間の消費とコストが掛かることがわかっている。
【発明の概要】
【発明が解決しようとする課題】
【０００６】
本発明の目的は、先行技術の少なくとも一つの欠点を克服または軽減することにある。
【課題を解決するための手段】
【０００７】
目的は、以下の記述および以下の特許請求の範囲において開示されるような特徴によって本発明により達成される。
【０００８】
甲板を有する平頂荷船用の荷卸装置を提供し、給水出口は、泥水または荷船上にある砂の洗浄のために甲板に、その中またはその上に設けられる。
【０００９】
甲板に、その中またはその上の給水出口の位置によって、給水出口を通って供給された水は、甲板上の砂へ流れ込み砂をスラリー化または洗浄するだろう。給水出口が甲板の近くに位置する場合、水は、比較的に低い位置で砂に入り、水は、洗浄するよりもむしろ砂をスラリー化する傾向がある。給水出口は、開口部またはバルブなどのフロー調整部材を含んでもよい。
【００１０】
給水出口は、甲板上、その下またはその上部に位置するパイプと連通してもよい。この方法において、パイプは、甲板上に位置してよい複数の給水出口を有してもよく、従って、荷卸装置の低コストのオプションを提供する。複数のパイプは、特により大きい荷船で有利であってもよい。
【００１１】
給水出口は、荷船から独立した装置によって保持されてもよい。固定または浮動構台システムもしくは荷船または隣接した荷船上に配置された掘削機は、例えば、給水出口およびチューブを保持するために有用であってもよい。
【００１２】
荷船に関連してその位置に応じて、給水出口が送水ポンプに接続可能にするためにパイプまたは環を通って接続を必要としてもよいことが理解された。送水ポンプは、荷船の上または外側に位置してもよい。荷船の外側に位置する場合、送水ポンプは、送水ポンプが荷卸動作中に荷船に接続されるのみであるように、複数の荷船を提供するためにより適していてよい。
【００１３】
平頂荷船は、積載および輸送中に荷船上の適切な位置に砂を維持するために保持壁を有していてもよい。保持壁の少なくとも一部分は、砂を流動化することによって荷卸を容易にするために傾きを変えられるまたは取り外し可能であってもよい。
【００１４】
保持壁または甲板は、荷船の外側に通じる流動または洗浄した砂を排出する開口を有してもよい。積載の目的のために、特に、流動した積載は、利用され、開口は、閉可能であるべきである。開口は、荷卸目的のために閉可能である必要はない。
【００１５】
閉可能な開口は、バルブを装備することができる。目的に適したバルブの任意の型が使用されてもよい。バルブは、例えば、水圧ラムによって遠隔制御されてもよい。
【００１６】
甲板を有する平頂荷船から砂を卸す方法が提供され、その方法は、
−甲板に、その中またはその上少なくとも一つの給水出口を設けることと、
−送水ポンプに給水出口を接続することと、
−砂のスラリー化または洗浄のために給水出口を介して砂へ水をポンプで送り込むことと、
−スラリー化した砂を甲板に流すことと、
を含む。
【００１７】
前述のように、給水出口は、通常、少なくとも一つのパイプまたはチューブを介して送水ポンプへ接続される。
【００１８】
荷船は、保持壁を有していてもよく、その方法は、
−甲板または保持壁に開口を設けることと、
−スラリー化したまたは洗浄された砂を開口を通して流すことと、
を含んでもよい。
【００１９】
比較的単純な装置の使用が提案される、本発明に係る荷卸装置および方法は、平頂荷船から砂を卸す時間およびコストにおいて実質的減少を提供する。
【００２０】
以下、好ましい装置および方法の例を、添付図面を参照して説明する。
【図面の簡単な説明】
【００２１】
【図１】本発明に係る装置を有する平頂荷船の斜視図である。
【図２】給水出口を有するパイプをより大きい縮尺で示す図である。
【図３】バルブが開港に位置する荷船の保持壁における開口を示す図である。
【図４】自走式荷船の斜視図である。
【図５】給水出口を運ぶ構台の下に位置する荷船の正面図の概略を示す図である。
【図６】給水出口を運ぶ掘削機を有する別の荷船に隣接して位置する荷船の正面図の概略を示す図である。
【発明を実施するための形態】
【００２２】
図面上の符号１は、甲板２を有する平頂荷船を指す。甲板２から上方に伸びる保持壁４は、甲板２を囲み、積載および輸送中に甲板２上の適切な位置で砂を保持する働きをする。
【００２３】
図１において、パイプ６は、甲板２の中央に位置する。パイプ６は、その長さに沿って複数の給水出口８を備える。図２において、給水出口８は、フランジの付いたスタッドパイプ１０の形で示される。
【００２４】
パイプ６は、荷卸中、チューブ１２好ましくは、管の形によって、不図示の送水ポンプへ接続される。
【００２５】
保持壁４は、スラリー化された砂を排出するための多くの開口１４を設ける。この好ましい実施形態において、各開口１４は、バルブ１６を設け、従って、閉可能である。バルブ１６は、ヒンジ１８の周りに回転可能であり、水圧ラム２０によって操作される。図３において、バルブ１６が開位置で示される。
【００２６】
荷船から荷卸する際には、パイプ６が、チューブ１２を介して不図示の送水ポンプへ接続される。水が、給水出口８を通ってポンプで砂に送られ、砂を流動化する。バルブ１６が開けられ、流動化した砂を開口１４を介して荷船１から流す。
【００２７】
図１において、保持壁の端部は、流動化した砂を排出するために開口１４ａを設けるために傾けられた位置に示される。
【００２８】
図４は、図１における荷船１上に示すような同じ装置を備える自走式荷船１を示す。自走式荷船１は、超構造体２２を有する。自走式荷船１は、水のある給水出口８を設ける船内に不図示の送水ポンプを有するのに適している。
【００２９】
浮き２６上の構台２４は、構台２４に対して比較的可動な給水出口８を備える。給水出口８は、図５を参照して、チューブ１２へ接続される。
【００３０】
給水出口８は、図６に示すように、独立した荷船３０によって運ばれる掘削機２８上にある。構台２４および掘削機２８は、支持装置３２の例である。
【００３１】
図５および６に示すように給水出口８を通して水を流す際に、水がボード上の砂を洗浄する傾向がある。
【図１】
2013529572.tif 000003
【図２】
2013529572.tif 000004
【図３】
2013529572.tif 000005
【図４】
2013529572.tif 000006
【図５】
2013529572.tif 000007
【図６】
2013529572.tif 000008
【国際調査報告】
2013529572.tif 000009
2013529572.tif 000010